(57)【特許請求の範囲】
【請求項１】
ベースバンド処理装置と無線装置とを備える分離型無線基地局における伝送システムであって、
前記ベースバンド処理装置は、前記無線装置にＦＦＴ処理及びＩＦＦＴ処理に必要な制御情報を送信し、
前記無線装置は、前記制御情報に基づき、ＦＦＴ処理及びＩＦＦＴ処理を行い、
前記ベースバンド処理装置と前記無線装置とが、周波数領域で信号を伝送し、
前記ベースバンド処理装置が、システム帯域の範囲内で所定の周波数帯域幅を有する通信リソースを前記無線装置に属する端末装置に割り当て、
前記ベースバンド処理装置と前記無線装置との通信における伝送容量が不足した場合、前記ベースバンド処理装置が前記システム帯域を変更せずに、前記通信リソースの割当総量を減少させることを特徴とする伝送システム。
【請求項２】
前記伝送システムはさらに、
前記ベースバンド処理装置が、前記システム帯域のうち、無線通信品質がより高い周波数帯域における通信リソースを前記無線装置に属する端末装置に割り当てることを特徴とする請求項１に記載の伝送システム。
【請求項３】
ベースバンド処理装置と無線装置とを備える分離型無線基地局における伝送方法であって、
前記ベースバンド処理装置が、前記無線装置にＦＦＴ処理及びＩＦＦＴ処理に必要な制御情報を送信するステップと、
前記無線装置は、前記制御情報に基づき、ＦＦＴ処理及びＩＦＦＴ処理を行うステップと、
前記ベースバンド処理装置と前記無線装置とが、周波数領域で信号を伝送するステップと、
前記ベースバンド処理装置が、システム帯域の範囲内で所定の周波数帯域幅を有する通信リソースを前記無線装置に属する端末装置に割り当てるステップと、
前記ベースバンド処理装置と前記無線装置との通信における伝送容量が不足した場合、前記ベースバンド処理装置が前記システム帯域を変更せずに、前記通信リソースの割当総量を減少させるステップと、
を含むことを特徴とする伝送方法。
【請求項４】
前記通信リソースを前記端末装置に割り当てるステップはさらに、
前記ベースバンド処理装置が、前記システム帯域のうち、無線通信品質がより高い周波数帯域における通信リソースを前記無線装置に属する端末装置に割り当てるように制御することを特徴とする請求項３に記載の伝送方法。
【請求項５】
分離型無線基地局における無線装置と接続されるベースバンド処理装置であって、
ＩＦＦＴ処理及びＦＦＴ処理に必要な制御情報を生成する無線監視制御部と、
前記制御情報を前記無線装置に送信し、前記無線装置と周波数領域の信号により伝送するインターフェースと、を備え、
前記無線監視制御部は、システム帯域の範囲内で所定の周波数帯域幅を有する通信リソースを前記無線装置に属する端末装置に割り当て、前記ベースバンド処理装置と前記無線装置との通信における伝送容量が不足した場合、前記ベースバンド処理装置が前記システム帯域を変更せずに、前記通信リソースの割当総量を減少させることを特徴とするベースバンド処理装置。
【発明の詳細な説明】
【技術分野】
【０００１】
本発明は、分離型無線基地局における伝送システム及び伝送方法、ベースバンド処理装置及び無線装置に関する。
【背景技術】
【０００２】
近年、基地局のアーキテクチャとして、ベースバンド処理装置と無線装置とを分離して、両者を光ファイバーで接続する分離型無線基地局が一般的になってきており、インターフェースとしてＣＰＲＩ（ＣｏｍｍｏｎＰｕｂｌｉｃ Ｒａｄｉｏ Ｉｎｔｅｒｆａｃｅ）等の規格が標準化されている（例えば特許文献１）。図１０は、分離型無線基地局の代表的な構成例を示している。図１０のようにベースバンド処理装置（ＢＢＥ）８と無線装置（ＲＦＥ）９とを分離した構成とすることにより、ＲＦ処理機能をベースバンド処理機能から数ｋｍ離れた所に設置することができ、より高い自由度で基地局を設置することが可能になる。また無線装置を図１０に示すようにＲＦＥ１０のようにカスケード接続により接続することができ、より広範囲のエリアをカバーする基地局を設置することができる。
【０００３】
図１１は従来の分離型無線基地局の構成を表すブロック図である。従来のＢＢＥ８は、ネットワーク処理部８１からの送信データを、ＲＬＣ部８２、ＭＡＣ部８３を介して物理層８４に渡し、ダウンリンクの信号についてはチャンネル符号化部８４１ｄ、リソースマッパー８４２ｄが信号を処理する。そして該処理した信号をＩＦＦＴ部８４３ｄにて周波数領域から時間領域に信号を変換し、インターフェース８５を介してＲＦＥ９に送信する。
【０００４】
ＲＦＥ９においては、インターフェース９１が信号を受信し、ＤＦＥ部９２、ＤＡＣ９３ｄ、ＲＦ部９４を経由して送信アンテナ９５ｄからＲＦＥ９と通信する各端末装置に信号が送信される。アップリンクにおける受信信号の場合は、受信アンテナ９５ｕが受信した信号を、ＲＦ部９４、ＡＤＣ９３ｕ、ＤＦＥ部９２を経由し、インターフェース９１を介してＢＢＥ８に送信される。そしてＦＦＴ部８４３ｕにおいて時間領域から周波数領域に変換し、リソースデマッパー８４２ｕ、チャンネル復号部８４１ｕ、ＭＡＣ部８３、ＲＬＣ部８２を経由してネットワーク処理部８１に渡される。
【０００５】
また、ＢＢＥ８のスケジューラによりＲＦＥ９及びＲＦＥ１０に割り当てられているリソース構成例をそれぞれ図１２（ａ）、図１２（ｂ）に示す。また、ＣＰＲＩ伝送フォーマットの割当例を図１２（ｃ）に示す。図１２（ａ）、図１２（ｂ）に示すように、ＢＢＥ８はｎサブキャリア分のシステム帯域幅の範囲で、各端末装置に所定の帯域幅を有する通信リソースを割り当て、各無線装置に属する端末装置との無線通信を実現している。
【先行技術文献】
【特許文献】
【０００６】
【特許文献１】特開２００７−３１２１８５号公報
【発明の概要】
【発明が解決しようとする課題】
【０００７】
しかしながら、従来の分離型無線基地局は、有効サブキャリア数のデータをＩＦＦＴ及びＦＦＴ処理を行ってシステム帯域幅で時間領域に変換し、時間領域の信号でベースバンド装置及び無線装置間の伝送を行うため、必要な伝送情報の容量と比較して伝送容量は増加する。具体的には、例えば、システム帯域１０ＭＨｚにおいて、６００個の有効サブキャリア分のデータを伝送する場合、ＩＦＦＴ処理する場合は２のｎ乗単位のサイズしか処理ができないため時間領域の信号により伝送する場合は１０２４サブキャリア分のデータと同等のデータ量を伝送する必要があり、伝送容量が約１．７倍増加してしまっていた。
【０００８】
また、従来の分離型無線基地局は無線伝送品質上の課題もあった。すなわち従来の分離型無線基地局は、例えば、ベースバンド処理装置と無線装置間を複数のケーブルで接続し伝送していた場合にあるケーブルが断線などにより使用できなくなった場合、または緊急時に1台のベースバンド処理装置に対して無線装置をカスケード接続で増設する場合などの理由によりベースバンド処理装置と無線装置の伝送容量を低減しなければならない場合、伝送する信号に全端末装置への割り当てリソースが畳み込まれているので、システム帯域幅を減少させなければならなかった。具体的には前記理由によりベースバンド処理装置と無線装置間の伝送帯域を半減する必要がある場合、従来の構成では接続している端末数を維持するためには図１３（ａ）及び図１３（ｂ）に示すように、システム帯域をｎ／２キャリアに半減させなければならなかった。そしてシステム帯域を半減させた場合、リソース割り当てをするためのサブキャリアの選択肢が減少するため、周波数選択フェージング等の影響が大きくなり、無線伝送品質が低下、無線伝送容量の低下の課題があった。あるいは、カスケード接続している無線装置が複数存在する場合には、一方の無線装置の通信をすべて中断しなければならなかった。
【０００９】
従って、上記のような問題点に鑑みてなされた本発明の目的は、必要な伝送情報の容量に比較して伝送容量を増加させずに、ベースバンド装置及び無線装置間の伝送ができる分離型無線基地局における伝送システム及び伝送方法を提供することにある。
【課題を解決するための手段】
【００１０】
上記課題を解決するために本発明に係る伝送システムは、
ベースバンド処理装置と無線装置とを備える分離型無線基地局における伝送システムで
あって、
前記ベースバンド処理装置は、前記無線装置にＦＦＴ処理及びＩＦＦＴ処理に必要な制
御情報を送信し、
前記無線装置は、前記制御情報に基づき、ＦＦＴ処理及びＩＦＦＴ処理を行い、
前記ベースバンド処理装置と前記無線装置とが、周波数領域で信号を伝送し、
前記ベースバンド処理装置が、システム帯域の範囲内で所定の周波数帯域幅を有する通信リソースを前記無線装置に属する端末装置に割り当て、
前記ベースバンド処理装置と前記無線装置との通信における伝送容量が不足した場合、前記ベースバンド処理装置が前記システム帯域を変更せずに、前記通信リソースの割当総量を減少させることを特徴とする。
【００１２】
また本発明に係る伝送システムはさらに、
前記ベースバンド処理装置が、前記システム帯域のうち、無線通信品質がより高い周波数帯域における通信リソースを前記無線装置に属する端末装置に割り当てることを特徴とする。
【００１３】
また本発明に係る伝送方法は、
ベースバンド処理装置と無線装置とを備える分離型無線基地局における伝送方法であって、
前記ベースバンド処理装置が、前記無線装置にＦＦＴ処理及びＩＦＦＴ処理に必要な制御情報を送信するステップと、
前記無線装置は、前記制御情報に基づき、ＦＦＴ処理及びＩＦＦＴ処理を行うステップと、
前記ベースバンド処理装置と前記無線装置とが、周波数領域で信号を伝送するステップと、
前記ベースバンド処理装置が、システム帯域の範囲内で所定の周波数帯域幅を有する通信リソースを前記無線装置に属する端末装置に割り当てるステップと、
前記ベースバンド処理装置と前記無線装置との通信における伝送容量が不足した場合、前記ベースバンド処理装置が前記システム帯域を変更せずに、前記通信リソースの割当総量を減少させるステップと、
を含むことを特徴とする。
【００１５】
また本発明に係る伝送方法は、
前記通信リソースを前記端末装置に割り当てるステップがさらに、
前記ベースバンド処理装置が、前記システム帯域のうち、無線通信品質がより高い周波数帯域における通信リソースを前記無線装置に属する端末装置に割り当てるように制御することを特徴とする。
【００１６】
また本発明に係るベースバンド処理装置は、
分離型無線基地局における無線装置と接続されるベースバンド処理装置であって、
ＩＦＦＴ処理及びＦＦＴ処理に必要な制御情報を生成する無線監視制御部と、
前記制御情報を前記無線装置に送信し、前記無線装置と周波数領域の信号により伝送するインターフェースと、を備え、
前記無線監視制御部は、システム帯域の範囲内で所定の周波数帯域幅を有する通信リソースを前記無線装置に属する端末装置に割り当て、前記ベースバンド処理装置と前記無線装置との通信における伝送容量が不足した場合、前記ベースバンド処理装置が前記システム帯域を変更せずに、前記通信リソースの割当総量を減少させることを特徴とする。
【発明の効果】
【００１８】
本発明における伝送システム及び伝送方法によれば、分離型無線基地局において、必要な伝送情報の容量に比較して伝送容量を増加させずに、ベースバンド装置及び無線装置間の伝送ができる。
【図面の簡単な説明】
【００１９】
【図１】本発明の一実施形態に係る分離型無線基地局の構成を表すブロック図である。
【図２】本発明の一実施形態に係る分離型無線基地局の動作を示すフローチャートである。
【図３】本発明の実施例１に係る分離型無線基地局の接続構成を示す図である。
【図４】本発明の実施例１に係る分離型無線基地局のリソース割当て例を示す図である。
【図５】本発明の実施例１に係る伝送容量が不足した場合の分離型無線基地局のリソース割当て例を示す図である。
【図６】本発明の実施例１に係る伝送容量が不足した場合の分離型無線基地局のリソース割当ての変形例を示す図である。
【図７】本発明の実施例２に係る分離型無線基地局の接続構成を示す図である。
【図８】本発明の実施例２に係る分離型無線基地局のリソース割当て例を示す図である。
【図９】本発明の実施例２に係る伝送容量が不足した場合の分離型無線基地局のリソース割当て例を示す図である。
【図１０】従来の分離型無線基地局の接続構成を示す図である。
【図１１】従来の分離型無線基地局の構成を表すブロック図である。
【図１２】従来の分離型無線基地局のリソース割当て例を表す図である。
【図１３】従来の分離型無線基地局の伝送容量が不足した場合のリソース割当て例を表す図である。
【発明を実施するための形態】
【００２０】
以下、本発明の実施の形態について説明する。
【００２１】
（実施の形態）
図１は本発明の一実施形態に係る分離型無線基地局における伝送システムのブロック図である。本発明の実施の形態１に係る分離型無線基地局における伝送システムは、ベースバンド処理装置（ＢＢＥ）１と、無線装置（ＲＦＥ）２とを備える。ＢＢＥ１とＲＦＥ２とは、光ファイバーケーブルにより接続されている。
【００２２】
ＢＢＥ１は、ネットワーク処理部１１と、Ｒａｄｉｏ Ｌｉｎｋ Ｃｏｎｔｒｏｌ（ＲＬＣ）部１２と、Ｍｅｄｉａ Ａｃｃｅｓｓ Ｃｏｎｔｒｏｌ（ＭＡＣ）部１３と、物理層１４とインターフェース１５と、監視制御部１６とを備える。
【００２３】
ネットワーク処理部１１は、ＢＢＥ１のネットワークに係る各種処理を行い、具体的には、ダウンリンクで送信するデータ及びアップリンクで受信するデータの各種処理を行う。
【００２４】
ＲＬＣ部１２は無線リンク制御を行い、ＭＡＣ部１３は、無線リソース割当制御等のメディアアクセス制御を行い、チャンネル符号化部１４１ｄにデータを渡す。ＭＡＣ部１３はスケジューラ１３１を有し、スケジューラ１３１は、後述する監視制御部１６からの指示に基づき、無線リソース割当ての指示をリソースマッパー１４２ｄに対し行う。
【００２５】
物理層１４は、物理レイヤーの処理を行う。ここで、本発明においてＢＢＥ１で行われる物理レイヤーの処理は、ダウンリンク処理ではリソースマッピングまで、アップリンク処理ではリソースデマッピングからの処理となり、ＩＦＦＴ処理及びＦＦＴ処理を含まない。物理層１４は、チャンネル符号化部１４１ｄと、チャンネル復号部１４１ｕと、リソースマッパー１４２ｄと、リソースデマッパー１４２ｕとを備える。
【００２６】
チャンネル符号化部１４１ｄは、ＭＡＣ部から受取ったデータのチャンネル符号化を行う。チャンネル符号化は、データに応じた符号化率の符号化方式により符号化し、符号化した信号をリソースマッパー１４２ｄに渡す。
【００２７】
チャンネル復号部１４１ｕは、リソースデマッパー１４２ｕから受取った信号のチャンネル復号を行いＭＡＣ部１３にデータを渡す。
【００２８】
リソースマッパー１４２ｄは、符号化された信号を、各サブキャリアにそれぞれリソース割当て、すなわちリソースマッピングをする。当該リソースの割当は、スケジューラ１３１の指示に基づき行う。リソースマッパー１４２ｄはリソース割当した信号をインターフェース１５に渡す。
【００２９】
リソースデマッパー１４２ｕは、リソース割当てされている信号から所望の信号を取り出すリソースデマッピングをし、取り出した信号をチャンネル復号部１４１ｕに渡す。
【００３０】
インターフェース１５は、リソースマッパー１４２ｄから受取った信号、制御信号、及び基準タイミング信号を、ＲＦＥ２に送信する。リソースマッパー１４２ｄから受取った信号は、ＩＦＦＴ処理がされていないため、周波数領域の信号である。すなわちインターフェース１５は周波数領域の信号をＲＦＥ２に送信する。インターフェース１５は、好ましくはＣＰＲＩプロトコルにより各信号を送信する。伝送する信号は有効サブキャリア数のみとする。システム帯域毎にサブキャリア数は異なるので、適宜伝送データを調整する。
【００３１】
制御信号は、具体的にはＩＦＦＴ及びＦＦＴ処理に必要な情報、ＣＰ（Ｃｙｃｌｉｃ Ｐｒｅｆｉｘ）種別、シンボル番号、スロット番号、IQ種別、システム帯域、受信タイミング調整値等の制御情報により構成される。制御信号は、好ましくは、ＣＰＲＩにおける、Ｖｅｎｄｏｒ Ｓｐｅｃｉｆｉｃ等の空きチャンネルを使用して送信される。
【００３２】
なお、制御信号に係る制御情報のうち、システム動作中に変更が無い制御情報は、装置立ち上げ時のみ予め送信するだけでよい。また伝送データの送信順序を予め決めておき、前記情報を低減してもよい。例えば、アンテナ２本を使用する場合、アンテナＡのシンボルａ、アンテナＢのシンボルａ、アンテナＡのシンボルｂ、アンテナＢのシンボルｂの順番に信号を送信すると予め決めておくことにより、制御信号の低減化は適宜可能である。
【００３３】
また基準タイミング信号は、ＢＢＥ１とＲＦＥ２の基準タイミングを同期させる信号であり、監視制御部１６により生成される。基準タイミング信号はＢＢＥ１とＲＦＥ２間の光ケーブル等による伝送遅延も考慮して送信タイミングを補正して送信する。すなわち、ＢＢＥ１から早出しで送信された基準タイミング信号はＲＦＥ２で受信した時にＢＢＥ１内の基準タイミング信号と時間軸で同タイミングになる。なお、光ケーブルなどの伝送遅延の測定はＣＰＲＩの仕様に記述されている方法などを用いる。これらの信号は、好ましくは、ＣＰＲＩにおける、Ｖｅｎｄｏｒ Ｓｐｅｃｉｆｉｃ等の空きチャンネルや、ＢＦＮ（ＮｏｄｅＢ Ｆｒａｍｅ Ｎｕｍｂｅｒ）を使用して行う。
【００３４】
監視制御部１６は、制御信号及び基準タイミング信号を生成する。また、監視制御部１６は、ＢＢＥ１とＲＦＥ２との間の伝送容量において、接続している無線装置に対する伝送容量が不足する場合は、その不足容量に応じてＭＡＣ部１３にその無線装置と通信をしている端末装置のリソース割り当てを減らすように指示をする。
【００３５】
ＲＦＥ２は、インターフェース２１と、メモリ２２ｄと、メモリ２２ｕと、ＩＦＦＴ部２３ｄと、ＦＦＴ部２３ｕと、タイミング調整部２４と、タイミング制御部２５と、Ｄｉｇｉｔａｌ Ｆｒｏｎｔ Ｅｎｄ（ＤＦＥ）部２６と、デジタルアナログ変換器（ＤＡＣ）２７ｄと、アナログデジタル変換器（ＡＤＣ）２７ｕと、ＲＦ部２８と、送信アンテナ２９ｄと、受信アンテナ２９ｕとを備える。
【００３６】
インターフェース２１は、周波数領域の信号、制御信号、及び基準タイミング信号を受信し、受信した周波数領域の信号をメモリ２２ｄに格納する。また、受信した基準タイミング信号及び制御信号に含まれる受信タイミング調整値をタイミング調整部２５に渡す。さらに制御信号のうちＩＦＦＴ処理及びＦＦＴ処理に必要な制御情報を夫々ＩＦＦＴ部２３ｄ及びＦＦＴ部２３ｕに渡す。
【００３７】
メモリ２２ｄは、インターフェース２１が受信した周波数領域の信号を格納する。メモリ２２ｕは、ＦＦＴ部２３ｕが生成した周波数領域の信号を格納する。
【００３８】
ＩＦＦＴ部２３ｄは、メモリ２２ｄから取り出した周波数領域の信号にＩＦＦＴ処理をする。すなわちＩＦＦＴ部２３ｄは周波数領域の信号を時間領域の信号に変換し、変換した信号をタイミング調整部２４に渡す。ＩＦＦＴ処理に必要な情報は、ＢＢＥ１から受信した制御信号に基づき行う。例えば、ＣＰ付加処理において、制御信号におけるＣＰ種別を用いる。
【００３９】
ＦＦＴ部２３ｕは、タイミング調整部２４から所定のタイミングで信号を受信し、ＦＦＴ処理をする。すなわちＦＦＴ部２３ｕは、時間領域の信号を周波数領域の信号に変換し、メモリ２２ｕに格納する。またＦＦＴ処理に必要な情報は、ＢＢＥ１から受信した制御信号に基づき行う。例えば、ＣＰ削除処理において、制御信号におけるＣＰ種別を用いる。
【００４０】
タイミング調整部２４は、ＲＦＥ２のアンテナ２９ｄ及びアンテナ２９ｕにおける送信タイミング及び受信タイミングを調整する。具体的には、ダウンリンクの場合、タイミング調整部２４は、タイミング制御部２５から受取るタイミング信号に従い送信データを送信する。なお、ＢＢＥ１で送信タイミングを調整し、無線装置では調整しない構成でもよい。その場合、システム帯域、ＣＰ種別など考慮した無線装置で処理するＩＦＦＴ処理遅延時間の情報をＢＢＥ１、またはＲＦＥ２で持ち（この場合は無線装置からベースバンド処理装置に情報を提供する）、ＢＢＥ１から前記遅延時間を考慮し送信データを送信する。アップリンクの場合は受信したデータを一旦メモリ（不図示）に保存し、適宜ＦＦＴ部２３ｕから読み出される。
【００４１】
タイミング制御部２５は、ＢＢＥ１とＲＦＥ２の処理タイミング同期させるための制御を行う。具体的にはタイミング制御部２５は、ＢＢＥ１から送信された基準タイミング信号に基づき、ＲＦＥ２の基準タイミングを同期させ、タイミング信号をタイミング調整部２４に供給する。ダウンリンクの場合、タイミング調整部２４に供給するタイミング信号は前記ベースバンド処理装置と同期した基準タイミングに対してＤＦＥ２６から送信アンテナ２９ｄまでの遅延時間を考慮し、その遅延時間分前に進めたタイミングで生成する。アップリンクの場合、ＦＦＴ部２３ｕに提供するタイミング信号は、受信アンテナ２９ｕからＤＦＥ２６までの遅延時間とベースバンド処理装置から送信された受信タイミング調整値などを考慮し生成する。
【００４２】
ＤＦＥ部２６は、アップリンク及びダウンリンクにおける信号のアップコンバート、ダウンコンバート、フィルタリングの処理を行う。ＤＡＣ２７ｄは、送信信号をデジタル信号からアナログ信号に変換する。ＡＤＣ２７ｕは、受信信号をアナログ信号からデジタル信号に変換する。
【００４３】
ＲＦ部２８は、ＤＡＣ２７ｄから受取ったアナログ信号を、送信アンテナ２９ｄにより送信する。また、受信アンテナ２９ｕにより受信したアナログ信号を、ＡＤＣ２７ｕに渡す。
【００４４】
次に、本発明の一実施形態に係る伝送システムについて、図２に示すフローチャートによりその動作を説明する。なお、図２に示すフローチャートにおいては、ダウンリンクの動作（ステップＳ１１〜ステップＳ１８）と、アップリンクの動作（ステップＳ１９〜ステップＳ２６）を組合せ、ダウンリンク及びアップリンクの伝送が連続して動作する例を示すがこれに限られず、アップリンクとダウンリンクの動作を独立して行ってもよい。
【００４５】
はじめにネットワーク処理部１１からアップリンクの伝送データをＲＬＣ部１２が受けると、ＲＬＣ部１２は、無線リンク制御をする（ステップＳ１１）。続いてＭＡＣ部１３は、無線リソース割当制御等のメディアアクセス制御を行いチャンネル符号化部１４１ｄにデータを渡す（ステップＳ１２）。ＭＡＣ部１３はスケジューラ１３１を有し、スケジューラ１３１は、監視制御部１６からの指示に基づき、無線リソース割当ての指示をリソースマッパー１４２ｄに対し行う。
【００４６】
続いてチャンネル符号化部１４１ｄは、ＭＡＣ部から受取ったデータのチャンネル符号化を行う（ステップＳ１３）。チャンネル符号化は、データに応じた符号化率の符号化方式により符号化し、符号化した信号をリソースマッパー１４２ｄに渡す。
【００４７】
続いてリソースマッパー１４２ｄは、符号化された信号を、各サブキャリアにそれぞれリソース割当てをする（ステップＳ１４）。当該リソースの割当は、スケジューラ１３１の指示に基づき行う。リソースマッパー１４２ｄはリソース割当した信号をインターフェース１５に渡す。
【００４８】
続いてインターフェース１５は、リソースマッパー１４２ｄから受取った信号、制御信号、及び基準タイミング信号を、光ケーブルで接続されたＲＦＥ２に送信する（ステップＳ１５）。リソースマッパー１４２ｄから受取った信号は、ＩＦＦＴ処理がされていないため、周波数領域の信号である。すなわちインターフェース１５は、周波数領域の信号をＲＦＥ２に送信する。インターフェース１５は、好ましくはＣＰＲＩプロトコルにより各信号を送信する。伝送する信号は有効サブキャリア数のみとする。システム帯域毎にサブキャリア数は異なるので、適宜伝送データを調整する。
【００４９】
続いてＲＦＥ２のインターフェース２１は、周波数領域の信号、制御信号、及び基準タイミング信号を受信する（ステップＳ１６）。インターフェース２１は受信した周波数領域の信号をメモリ２２ｄに格納する。また、受信した基準タイミング信号及び受信タイミング調整値をタイミング調整部２５に渡す。さらに制御信号のうちＩＦＦＴ処理及びＦＦＴ処理に必要な制御情報を夫々ＩＦＦＴ部２３ｄ及びＦＦＴ部２３ｕに渡す。
【００５０】
続いてＩＦＦＴ部２３ｄは、メモリ２２ｄから取り出した周波数領域の信号にＩＦＦＴ処理をし、周波数領域の信号を時間領域の信号に変換し、変換した信号をタイミング調整部２４に渡す（ステップＳ１７）。ＩＦＦＴ処理に必要な情報は、ＢＢＥ１から受信した制御信号に基づき行う。例えば、ＣＰ付加処理において、制御信号におけるＣＰ種別を用いる。
【００５１】
続いてＲＦＥ２は、ＲＦＥ２に属する端末装置に信号を送信する。（ステップＳ１８）。具体的には、タイミング調整部２４が、タイミング制御部２５から受信したタイミング信号に基づき、送信する信号をＤＦＥ２６に渡す。続いてＤＦＥ２６が送信信号をアップコンバートし、所定のフィルタリングを行う。続いてＤＡＣ２７ｄがデジタル信号をアナログ信号に変換し、ＲＦ部２８が、送信アンテナ２９ｄにより当該アナログ信号を送信する。
【００５２】
次にダウンリンクの動作を説明する。まずＲＦＥ２は、ＲＦＥ２に属する端末装置からダウンリンクの信号を受信する（ステップＳ１９）。具体的には、ＲＦ部２８が、受信アンテナ２９ｕにより端末装置からのアナログ信号を受信し、ＡＤＣ２７ｕがアナログ信号をデジタル信号に変換する。続いてＤＦＥ２６が信号をダウンコンバートし、所定のフィルタリングを行い、タイミング調整部２４に信号を渡す。
【００５３】
続いてＦＦＴ部２３ｕは、タイミング調整部２４から所定のタイミングで信号を受信し、ＦＦＴ処理をして時間領域の信号を周波数領域の信号に変換し、メモリ２２ｕに格納する（ステップＳ２０）。該タイミングは、タイミング調整部２４がタイミング制御部２５から受信したタイミング信号に基づき適宜調整される。またＦＦＴ処理に必要な情報は、ＢＢＥ１から受信した制御信号に基づき行う。例えば、ＣＰ削除処理において、制御信号におけるＣＰ種別を用いる。
【００５４】
続いてインターフェース２１は、メモリ２２ｕから周波数領域の信号を取り出し、当該周波数領域の信号を、ＢＢＥ１に送信する（ステップＳ２１）。伝送する信号は有効サブキャリア数のみとする。ＢＢＥ１は当該周波数領域の信号を受信する（ステップＳ２２）。
【００５５】
続いてリソースデマッパー１４２ｕは、リソース割当てされている信号から所望の信号を取り出し、取り出した信号をチャンネル復号部１４１ｕに渡す（ステップＳ２３）。
【００５６】
続いてチャンネル復号部１４１ｕは、リソースデマッパー１４２ｕから受取った信号のチャンネル復号を行いＭＡＣ部１３にデータを渡す（ステップＳ２４）。
【００５７】
続いてＭＡＣ部１３がメディアアクセス制御をし（ステップＳ２５）、ＲＬＣ部１２が、無線リンク制御をし（ステップＳ２６）、ネットワーク処理部１１にダウンリンクのデータが渡されて処理が終了する。
【００５８】
このように本発明によれば、ＢＢＥ１とＲＦＥ２とが周波数領域で伝送をするため、分離型無線基地局において、必要な伝送情報の容量に比較して伝送容量を増加させずに、ベースバンド処理装置及び無線装置間の伝送ができる。
【００５９】
具体的には、例えばシステム帯域１０ＭＨｚにおいて、６００個の有効サブキャリア分のデータを伝送する場合、周波数領域の信号により伝送する場合は６００サブキャリア分のデータで伝送すればよく、伝送容量は増加しない。従って、時間領域で伝送する従来技術と比較して約０．６倍の伝送容量になり、インターフェースの低速化することができ、低消費電力・回路コスト低減などの利点がある。また、近年の広帯域化により伝送容量が増加するに従い、インターフェースの高速伝送が必要となっているが、高速伝送が可能なデバイスの開発が追従できない場合などに有効となる。また、ベースバンド処理装置にカスケード接続する無線装置を増やす事が可能となるので、ケーブル施設の設置費やコストの低減、設置期間も短縮可能となる。
【００６０】
（実施例１）
次に、本実施の形態に係る伝送システムの実施例（実施例１）を図３〜図６により示す。
【００６１】
図３は、無線装置としてＲＦＥ２ａ及びＲＦＥ２ｂの２つをＢＢＥ１にカスケード接続した構成例である。なお図中では２つの無線装置を“ＲＦＥ１”、“ＲＦＥ２”として表し、図４及び図５におけるＣＰＲＩフォーマットにおいては当該表記を用いて各無線装置の割当を記載している。なお、ＲＦＥ２ａとＲＦＥ２ｂの構成は、図１に示すＲＦＥ２と同一の構成である。ＲＦＥ２ａは端末装置“ＵＥ１１”〜“ＵＥ１６”と通信し、ＲＦＥ２ｂは、端末装置“ＵＥ２１”〜“ＵＥ２６”と通信する。また、ＲＦＥ２ａ及びＲＦＥ２ｂにおいて、各スケジューラ１３１により割り当てられているリソース構成例をそれぞれ図４（ａ）及び図４（ｂ）に示す。また、ＣＰＲＩ伝送フォーマットの割り当て例を図４（ｃ）に示す。このようにＢＢＥ１は、ｎサブキャリア分のシステム帯域の範囲内で、所定周波数帯域幅を有する通信リソースを、ＲＦＥ２ａ及びＲＦＥ２ｂに属する端末装置に割り当てる。
【００６２】
ここで、何らかの原因でＢＢＥ１とＲＦＥ２ａとの間の通信にリンクエラーが起こり、伝送速度が当初想定した速度に対して半減した場合の処理について説明する。ＣＰＲＩの通信はリンク確立時に伝送速度をネゴシエーションし設定する。主な設定速度として、６１４．４Ｍｂｉｔ／ｓ、１２２８．８Ｍｂｉｔ／ｓ、２４５７．６Ｍｂｉｔ／ｓ等があり、ここでは当初の伝送速度２４５７．６Ｍｂｉｔ／ｓから伝送速度１２２８．８Ｍｂｉｔ／ｓに半減したとして説明する。
【００６３】
監視制御部１６にて、ＣＰＲＩのリンクエラー、伝送速度が半減した事が分かると、ＭＡＣ部１３のスケジューラ１３１に、ＲＦＥ２ａとＲＦＥ２ｂに接続する端末装置の割り当てリソースの総量を半減させることと、システム帯域はそのままであること（割り当てサブキャリアの範囲は変更なし）の条件を指示する。なお、前記条件以外は従来のスケジューラの方法で各端末装置にリソースを割り当てる。このときのリソース構成例はＲＦＥ２ａ及びＲＦＥ２ｂについてそれぞれ図５（ａ）、図５（ｂ）である。また、ＣＰＲＩ伝送フォーマットの割り当て例は図５（ｃ）である。なおＢＢＥ１とＲＦＥ２ａとの通信を周波数領域で伝送しているため、システム帯域をそのままにすることが可能である。
【００６４】
図５に示す割り当てでは、各端末装置に割り当てるリソースの帯域幅が半減し、無線リソースの割当総量は半減するが、周波数選択フェージングなどの影響でサブキャリアのリソース割り当てを変更する場合においても、サブキャリアの選択肢はＣＰＲＩの伝送速度が半減する前と変わらないので無線伝送品質や無線伝送容量の低下は起こらない。例えば、あるサブキャリアの無線通信品質が劣化した場合のリソース割り当て変更例をＲＦＥ２ａ及びＲＦＥ２ｂについてそれぞれ、図６（ａ）及び図６（ｂ）に示す。無線通信品質が劣化したサブキャリアを回避するように、図６（ａ）では“ＵＥ１２”、“ＵＥ１５”等、図６（ｂ）では“ＵＥ２５”、“ＵＥ２６”等に割り当てるサブキャリアの帯域を変更している。
【００６５】
このように本発明によれば、ＢＢＥ１と各無線装置（ＲＦＥ２ａ及びＲＦＥ２ｂ）間の伝送容量が何らかの理由で低減した場合、割り当てリソースは減らすが、周波数領域で信号を伝送するので、システム帯域を変更する必要がないためサブキャリアの選択範囲は変わらず、周波数選択フェージングなどの影響による無線伝送品質や無線伝送容量の低下を防止することができる。
【００６６】
（実施例２）
次に、本実施の形態に係る伝送システムの実施例（実施例２）を図７〜図９により示す。
【００６７】
図７は、ベースバンド処理装置のＢＢＥ１ａに対し、無線装置としてＲＦＥ２ａ、ＲＦＥ２ｂの２つをカスケード接続により接続し、ベースバンド処理装置のＢＢＥ１ｂに対し、無線装置としてＲＦＥ２ｃ及びＲＦＥ２ｄの２つをカスケード接続により接続した構成例である。また、ＲＦＥ２ｂとＲＦＥ２ｄとは光ケーブルにより接続されている。なお図中では２つのベースバンド処理装置を“ＢＢＥ１”、“ＢＢＥ２”、４つの無線装置を“ＲＦＥ１”、“ＲＦＥ２”、“ＲＦＥ３”、“ＲＦＥ４”として表し、図８及び図９におけるＣＰＲＩフォーマットにおいては当該表記を用い各無線装置の割当を記載している。ＢＢＥ１ａ及びＢＢＥ１ｂの構成は、図１のＢＢＥ１の構成と同一であり、ＲＦＥ２ａ、ＲＦＥ２ｂ、ＲＦＥ２ｃ、及びＲＦＥ２ｄの構成は、図１に示すＲＦＥ２の構成と同一である。
【００６８】
このとき、ＲＦＥ２ａ及びＲＦＥ２ｂにおいて、各スケジューラ１３１により割り当てられている構成例は、それぞれ図４（ａ）、図４（ｂ）であり、ＣＰＲＩ伝送フォーマットの割当例は図４（ｃ）である。一方、ＲＦＥ２ｃ、ＲＦＥ２ｄにおいて各スケジューラ１３１により割り当てられている構成例は、それぞれ図８（ａ）、図８（ｂ）であり、ＣＰＲＩ伝送フォーマットの割当例は図８（ｃ）である。このようにＢＢＥ１ａ及びＢＢＥ１ｂは、ｎサブキャリア分のシステム帯域の範囲内で、所定周波数帯域幅を有する通信リソースを、それぞれＲＦＥ２ａ及びＲＦＥ２ｂ、ＲＦＥ２ｃ及びＲＦＥ２ｄに属する端末装置に割り当てる。
【００６９】
ここで、何らかの原因でＢＢＥ１ｂとＲＦＥ２ｃの通信ができなくなった場合において、ＲＦＥ２ｄとＲＦＥ２ｂ間の光ケーブルによりＲＦＥ２ｃ、ＲＦＥ２ｄをＢＢＥ１ａにカスケード接続する場合の処理について説明する。
【００７０】
まず、ＢＢＥ１ａとＲＦＥ２ｃ及びＲＦＥ２ｄとの接続を有効にする。ここでＢＢＥ１ａに接続する無線装置を増やす場合は、センター局からネットワーク経由で無線装置が増加した事を監視制御部１６に通知する。なお、ＲＦＥ２ｃとＲＦＥ２ｄに接続する端末装置は再度接続処理を行うことになる。
【００７１】
監視制御部１６にてＭＡＣ部１３のスケジューラ１３１に、すでに接続している無線装置ＦＲＥ２ａとＲＦＥ２ｂに接続する端末装置の割り当てリソースの総量を半減させることとシステム帯域はそのままであること（割り当てサブキャリアの範囲は変更なし）の条件を指示する。なお、前記条件以外は従来のスケジューラの方法で各端末装置にリソースを割り当てる。割り当てられたリソース構成例を、ＲＦＥ２ａ及びＲＦＥ２ｂはそれぞれ図５（ａ）及び図５（ｂ）、ＲＦＥ２ｃ及びＲＦＥ２ｄはそれぞれ図９（ａ）及び図９（ｂ）に示す。またＣＰＲＩ伝送フォーマットの割り当て例を図９（ｃ）に示す。なおＢＢＥ１ａとＲＦＥ２ａとの通信を周波数領域で伝送しているため、システム帯域をそのままにすることが可能である。
【００７２】
このように本発明によれば、ＢＢＥ１と各無線装置（ＲＦＥ２ａ、ＲＦＥ２ｂ、ＲＦＥ２ｃ、及びＲＦＥ２ｄ）の伝送容量を低減する場合、周波数領域で信号を伝送するためシステム帯域を変更せずに割り当てリソースを減らす事ができ、システム帯域を変更しないためサブキャリアの選択範囲は変わらず、周波数選択フェージングなどの影響による無線伝送品質や無線伝送容量の低下を防止することができる。
【００７３】
なお、ＢＢＥ１におけるネットワーク処理部１１、ＲＬＣ部１２、ＭＡＣ部１３、物理層１４、監視制御部１６は、複数並列に備えてベースバンド処理を並列処理により行ってもよい。この場合、ベースバンド処理を高速化することができる。
【００７４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップ等に含まれる機能等は論理的に矛盾しないように再配置可能であり、複数の手段やステップ等を１つに組み合わせたり、或いは分割したりすることが可能である。
【符号の説明】
【００７５】
１、１ａ、１ｂ  ベースバンド処理装置
１１  ネットワーク処理部
１２  ＲＬＣ部
１３  ＭＡＣ部
１３１  スケジューラ
１４  物理層
１４１ｄ  チャンネル符号化部
１４１ｕ  チャンネル復号部
１４２ｄ  リソースマッパー
１４２ｕ  リソースデマッパー
１５  インターフェース
１６  制御監視部
２、２ａ、２ｂ、２ｃ、２ｄ  無線装置
２１  インターフェース
２２ｄ、２ｄｕ  メモリ
２３ｄ  ＩＦＦＴ部
２３ｕ  ＦＦＴ部
２４  タイミング調整部
２５  タイミング制御部
２６  ＤＦＥ
２７ｄ  ＤＡＣ
２７ｕ  ＡＤＣ
２８  ＲＦ部
２９ｄ  送信アンテナ
２９ｕ  受信アンテナ
８  ベースバンド処理装置
９、１０  無線装置
８１  ネットワーク処理部
８２  ＲＬＣ部
８３  ＭＡＣ部
８４  物理層
８４１ｄ  チャンネル符号化部
８４１ｕ  チャンネル復号部
８４２ｄ  リソースマッパー
８４２ｕ  リソースデマッパー
８４３ｄ  ＩＦＦＴ部
８４４ｕ  ＦＦＴ部
８５  インターフェース
９１  インターフェース
９２  ＤＦＥ
９３ｄ  ＤＡＣ
９３ｕ  ＡＤＣ
９４  ＲＦ部
９５ｄ  送信アンテナ
９５ｕ  受信アンテナ
【図１】
0005719249.tif 000002
【図２】
0005719249.tif 000003
【図３】
0005719249.tif 000004
【図４】
0005719249.tif 000005
【図５】
0005719249.tif 000006
【図６】
0005719249.tif 000007
【図７】
0005719249.tif 000008
【図８】
0005719249.tif 000009
【図９】
0005719249.tif 000010
【図１０】
0005719249.tif 000011
【図１１】
0005719249.tif 000012
【図１２】
0005719249.tif 000013
【図１３】
0005719249.tif 000014